(57)【要約】【課題】  紙、あるいはその紙を印刷可能な文書データに、検知遅れがないように、パターンを重畳するパターン重畳装置、パターン重畳方法、パターン重畳プログラム、パターン重畳プログラムを記録した記録媒体を提供する。【解決手段】  所定の形状を有するパターンを、紙あるいは紙への印刷可能な文書データに重畳するパターン重畳方法であって、印刷される前記紙の端部に前記パターンの形状を欠くことなく重畳する重畳段階を有する。【選択図】  図４
2006345394.tif 000002
【特許請求の範囲】
【請求項１】
所定の形状を有するパターンを、紙あるいは紙への印刷可能な文書データに重畳するパターン重畳方法であって、
印刷される前記紙の端部に前記パターンの形状を欠くことなく重畳する重畳段階を有することを特徴とするパターン重畳方法。
【請求項２】
前記パターンは、該パターンを重畳した紙の複製防止に用いられることを特徴とする請求項１に記載のパターン重畳方法。
【請求項３】
前記パターンは、複製防止に係る付加情報をさらに有し、
同一の情報を有する前記付加情報を複数有することを特徴とする請求項１または２に記載のパターン重畳方法。
【請求項４】
一辺の長さがＷである辺Ａを有する矩形の紙あるいは前記紙への印刷可能な文書データに、一辺の長さがｗである辺Ｂを有する矩形のパターンを、辺Ａに辺Ｂを平行に重畳するパターン重畳方法であって、
印刷される前記紙の端部から［（Ｗ／２）／ｗ］回前記パターンを重畳する第１重畳段階と、
前記第１重畳段階を終えた地点から、長さ（Ｗ／２  ｍｏｄ  ｗ）×２の前記パターンを重畳する第２重畳段階と、
前記第２重畳段階を終えた地点から、［（Ｗ／２）／ｗ］回前記パターンを重畳する第３重畳段階と
を有することを特徴とするパターン重畳方法。
【請求項５】
前記辺Ｂを有する矩形の他の辺Ｄの長さはｈであり、
前記第３重畳段階の後に、前記辺Ａの垂直方向にｈずらした端部から、再び前記第１、第２、第３重畳段階を実行可能かどうかを判断する重畳終了判断段階を有することを特徴とする請求項４に記載のパターン重畳方法。
【請求項６】
前記辺Ａを有する矩形の他の辺Ｃの長さはＨであり、
前記第３重畳段階の後に、次の第１、第２、第３重畳段階が前記辺Ｃと平行な方向に［Ｈ／２／ｈ］＋１回目の重畳の場合、次の第１、第２、第３重畳段階で重畳するパターンの辺Ｄの長さを２×（Ｈ／２  ｍｏｄ  ｈ）とすることを特徴とする請求項４または５に記載のパターン重畳方法。
【請求項７】
一部に付加情報を示す付加情報部を有し、所定の形状であるパターンを、紙あるいは紙への印刷可能な文書データに重畳するパターン重畳方法であって、
印刷される前記紙の端部に前記付加情報部を欠くことなく重畳する重畳段階を有することを特徴とするパターン重畳方法。
【請求項８】
前記パターンは、該パターンを重畳した紙の複製防止に用いられることを特徴とする請求項７に記載のパターン重畳方法。
【請求項９】
前記パターンは、同一の情報を有する前記付加情報部を複数有することを特徴とする請求項７または８に記載のパターン重畳方法。
【請求項１０】
一辺の長さがＷである辺Ａを有する矩形の紙あるいは前記紙への印刷可能な文書データに、一辺の長さがｗである辺Ｂを有する矩形のパターンを、辺Ａに辺Ｂを平行に重畳するパターン重畳方法であって、
印刷される前記紙の端部から［（Ｗ／２）／ｗ］回前記パターンを重畳する第１重畳段階と、
前記第１重畳段階を終えた地点から、長さ（Ｗ／２  ｍｏｄ  ｗ）の前記パターンを重畳する第２重畳段階と、
前記第２重畳段階を終えた地点から、長さ（Ｗ／２−ｒ  ｍｏｄ  ｗ）（ｒ：定数）の前記パターンを重畳する第３重畳段階と、
前記第３重畳段階を終えた地点から、［（（Ｗ／２）−ｒ）／ｗ］回前記パターンを重畳する第４重畳段階と、
前記第４重畳段階を終えた地点から、長さｒの前記パターンを重畳する第５重畳段階と
を有することを特徴とするパターン重畳方法。
【請求項１１】
前記辺Ｂを有する矩形の他の辺Ｄの長さはｈであり、
前記第５重畳段階の後に、前記辺Ａの垂直方向にｈずらした端部から、再び前記第１、第２、第３、第４、第５重畳段階を実行可能かどうかを判断する重畳終了判断段階を有することを特徴とする請求項１０に記載のパターン重畳方法。
【請求項１２】
前記辺Ａを有する矩形の他の辺Ｃの長さはＨであり、
前記第５重畳段階の後に、次の第１、第２、第３、第４、第５重畳段階が前記辺Ｃと平行な方向に［Ｈ／２／ｈ］＋１回目の重畳の場合、次の第１、第２、第３、第４、第５重畳段階で重畳するパターンの辺Ｄの長さを２×（Ｈ／２  ｍｏｄ  ｈ）とすることを特徴とする請求項１０または１１に記載のパターン重畳方法。
【請求項１３】
請求項１から１２のいずれか１項に記載のパターン重畳方法をコンピュータで実行させるためのパターン重畳プログラム。
【請求項１４】
請求項１３に記載のパターン重畳プログラムを記録したコンピュータ読取可能な記録媒体。
【請求項１５】
所定の形状を有するパターンを、紙あるいは紙への印刷可能な文書データに重畳するパターン重畳装置であって、
印刷される前記紙の端部に前記パターンの形状を欠くことなく重畳する重畳手段を有することを特徴とするパターン重畳装置。
【請求項１６】
前記パターンは、該パターンを重畳した紙の複製防止に用いられることを特徴とする請求項１５に記載のパターン重畳装置。
【請求項１７】
前記パターンは、複製防止に係る付加情報をさらに有し、
前記パターンは、同一の情報を有する前記付加情報を複数有することを特徴とする請求項１５または１６に記載のパターン重畳装置。
【請求項１８】
一辺の長さがＷである辺Ａを有する矩形の紙あるいは前記紙への印刷可能な文書データに、一辺の長さがｗである辺Ｂを有する矩形のパターンを、辺Ａに辺Ｂを平行に重畳するパターン重畳装置であって、
印刷される前記紙の端部から［（Ｗ／２）／ｗ］回前記パターンを重畳する第１重畳手段と、
前記第１重畳手段が重畳を終えた地点から、長さ２×（Ｗ／２  ｍｏｄ  ｗ）の前記パターンを重畳する第２重畳手段と、
前記第２重畳手段が重畳を終えた地点から、［（Ｗ／２）／ｗ］回前記パターンを重畳する第３重畳手段と
を有することを特徴とするパターン重畳装置。
【請求項１９】
前記辺Ｂを有する矩形の他の辺Ｄの長さはｈであり、
前記第３重畳手段が重畳した後に、前記辺Ａの垂直方向にｈずらした端部から、再び前記第１、第２、第３重畳手段が重畳を実行可能かどうかを判断する重畳終了判断手段を有することを特徴とする請求項１８に記載のパターン重畳装置。
【請求項２０】
前記辺Ａを有する矩形の他の辺Ｃの長さはＨであり、
前記第３重畳手段が重畳した後に、次の第１、第２、第３重畳手段が前記辺Ｃと平行な方向に［Ｈ／２／ｈ］＋１回目の重畳の場合、次の第１、第２、第３重畳手段で重畳するパターンの辺Ｄの長さを２×（Ｈ／２  ｍｏｄ  ｈ）とすることを特徴とする請求項１８または１９に記載のパターン重畳装置。
【請求項２１】
一部に付加情報を示す付加情報部を有し、所定の形状であるパターンを、紙あるいは紙への印刷可能な文書データに重畳するパターン重畳装置であって、
印刷される前記紙の端部に前記付加情報部を欠くことなく重畳する重畳手段を有することを特徴とするパターン重畳装置。
【請求項２２】
前記パターンは、該パターンを重畳した紙の複製防止に用いられることを特徴とする請求項２１に記載のパターン重畳装置。
【請求項２３】
前記パターンは、同一の情報を有する前記付加情報部を複数有することを特徴とする請求項２１または２２に記載のパターン重畳装置。
【請求項２４】
一辺の長さがＷである辺Ａを有する矩形の紙あるいは前記紙への印刷可能な文書データに、一辺の長さがｗである辺Ｂを有する矩形のパターンを、辺Ａに辺Ｂを平行に重畳するパターン重畳装置であって、
印刷される前記紙の端部から［（Ｗ／２）／ｗ］回前記パターンを重畳する第１重畳手段と、
前記第１重畳手段が重畳を終えた地点から、長さ（Ｗ／２  ｍｏｄ  ｗ）の前記パターンを重畳する第２重畳手段と、
前記第２重畳手段が重畳を終えた地点から、長さ（Ｗ／２−ｒ  ｍｏｄ  ｗ）（ｒ：定数）の前記パターンを重畳する第３重畳手段と、
前記第３重畳手段が重畳を終えた地点から、［（（Ｗ／２）−ｒ）／ｗ］回前記パターンを重畳する第４重畳手段と、
前記第４重畳手段が重畳を終えた地点から、長さｒの前記パターンを重畳する第５重畳手段と
を有することを特徴とするパターン重畳装置。
【請求項２５】
前記辺Ｂを有する矩形の他の辺Ｄの長さはｈであり、
前記第５重畳手段が重畳した後に、前記辺Ａの垂直方向にｈずらした端部から、再び前記第１、第２、第３、第４、第５重畳手段が重畳を実行可能かどうかを判断する重畳終了判断手段を有することを特徴とする請求項２４に記載のパターン重畳装置。
【請求項２６】
前記辺Ａを有する矩形の他の辺Ｃの長さはＨであり、
前記第５重畳段階が重畳した後に、次の第１、第２、第３、第４、第５重畳手段が前記辺Ｃと平行な方向に［Ｈ／２／ｈ］＋１回目の重畳の場合、次の第１、第２、第３、第４、第５重畳手段が重畳するパターンの辺Ｄの長さを２×（Ｈ／２  ｍｏｄ  ｈ）とすることを特徴とする請求項２４または２５に記載のパターン重畳装置。
【発明の詳細な説明】
【技術分野】
【０００１】
本発明は、不正コピー防止に用いられる紙、あるいはその紙を印刷可能な文書データにパターンを重畳するパターン重畳装置、パターン重畳方法、パターン重畳プログラム、パターン重畳プログラムを記録した記録媒体に関する。
【背景技術】
【０００２】
近年、画像処理技術、画像形成技術の向上によって、デジタルカラー複写機を用いて紙幣や有価証券等を複写した場合、その複写物と原本である本物とが容易に区別できないほど忠実な複写が可能となってきている。このため、紙幣や有価証券等のような特殊原稿については、複写を全く行うことができないようにするか、あるいは、正しく複写を行うことができないようにする措置をとることが必要である。
【０００３】
また、例えば企業においては、紙幣や証券など特殊原稿以外の一般文書の場合にあっても、文書内容の機密保持の観点から、複写が禁止されている機密文書が多数存在する。このような機密文書についても、複写を全く行うことができないようにするか、あるいは、正しく複写を行うことができないようにする措置をとることが必要である。
【０００４】
このようなことから、従来、特殊原稿や機密文書等を複写することに規制力を及ぼすことを目的とする種々の発明がなされている。以下、そのような発明の具体的な例を紹介する。
【０００５】
まず、紙幣や有価証券等の特殊原稿を判別する方法として、入力した画像データと予め登録してある特定のマーク（パターンデータ）とをパターンマッチング法で比較し、特定のマークが存在する場合に原稿が特殊原稿であると判別する方法が提案されている。特許文献１や特許文献２に記載された発明は、その代表的な例である。これらの発明は、原稿が特殊原稿であると判定した場合には、その複写を禁止するものである。
【０００６】
次いで、複写禁止された機密文書を判別する発明として、例えば、特許文献３や特許文献４には、機密文書に付された機密文書であることを示すマークを検出するようにした発明が記載されている。これは、複写禁止された機密文書には、一般的に、マル秘の印鑑や複写禁止のマーク等からなる機密文書であることを示すマークが押印されていることを利用している。こうして、原稿が機密文書であると判定した場合には、その複写を禁止する。
【０００７】
さらに、特許文献５や特許文献６には、複写を禁止したい原稿画像に地紋を埋め込むことにより複写を抑制する技術が提案されている。これは、原稿画像に用いる用紙の背景にベース領域とメッセージ領域とをもつ地紋パターンが作成された用紙を用いるというものである。地紋パターンは、原稿画像においてはそれほど目立たず、原稿画像に含まれている情報の判読等に支障を及ぼさない。しかしながら、このような地紋パターンが埋め込まれた原稿画像が複写されると、例えばメッセージ領域の模様が浮かび上がる、というものである。そこで、メッセージ領域の模様として、例えば「複写禁止」というような文字を与えておくことにより、その複写物が複写禁止の機密書類であったことが一目瞭然となり、心理的に、複写に対する規制力を生じさせることができる。 
特許文献７では、特定の情報を意味するパターン、一例としてドットパターンを原稿画像記録用の原稿面に重畳し、その原稿画像が画像読み取りされた場合、そのようなドットパターン等のパターンを検出したらその原稿画像の出力を禁止する等の制御をするような発明がある。
【特許文献１】特開平６−１２５４５９号公報
【特許文献２】特開２００１−８６３３０公報
【特許文献３】特開平７−３６３１７号公報
【特許文献４】特開平７−８７３０９号公報
【特許文献５】特開平９−１６４７３９号公報
【特許文献６】特開２００１−１９７２９７公報
【特許文献７】特開２００４−２７４０９２公報
【発明の開示】
【発明が解決しようとする課題】
【０００８】
上記特許文献７のように、ドットパターンを検出して検出結果により制御を決定する装置では、パターンによって次のような問題がある。
【０００９】
パターンによってはパターンの端においてパターンの区切れ目と端が一致せず、パターンが中途半端に途切れてしまう問題がある。
【００１０】
図１は、紙にパターンが中途半端に重畳された例を示すものである。図１には、パターンと紙が示されており、紙の上に破線でパターンが示されている。この破線により囲まれている各矩形がそれぞれパターンである。
【００１１】
図１において、パターン群に属する各パターンは中途半端に紙に重畳されている。従って、読取方向が矢印が指す方向に向かう方向である場合、パターン群に属するパターンは検知されない。
【００１２】
すなわち、ドットパターン等のパターンを検出したらその原稿画像の出力を禁止する等のような制御をする場合、画像の読み取り開始位置によっては、中途半端に途切れたパターンから読み取り始め、中途半端に途切れたパターンではパターンとして検出されず次のパターンの読み取りまで制御がなされない検知遅れとなる。
【００１３】
つまり制御がなされるまでの時間が画像の読み取り開始位置によって変わってしまうという問題がある。リアルタイムにこれが行われる場合は、この時間の差は大きいため検知遅れとなる。
【００１４】
また、パターンが付加情報を有する場合もパターンの検知遅れが発生する。図２には、紙と、付加情報を有するパターンとが示されている。そして、付加情報を有するパターンが中途半端に印刷されている。読取方向が矢印が指す方向に向かう方向である場合、付加情報は検知されない。
【００１５】
本発明はこのような問題点に鑑み、紙、あるいはその紙を印刷可能な文書データに、検知遅れがないように、パターンを重畳するパターン重畳装置、パターン重畳方法、パターン重畳プログラム、パターン重畳プログラムを記録した記録媒体を提供することを目的とする。
【課題を解決するための手段】
【００１６】
上記課題を解決するために、本発明は、所定の形状を有するパターンを、紙あるいは紙への印刷可能な文書データに重畳するパターン重畳方法であって、印刷される前記紙の端部に前記パターンの形状を欠くことなく重畳する重畳段階を有することを特徴とする。
【００１７】
また、上記課題を解決するために、本発明は、前記パターンは、該パターンを重畳した紙の複製防止に用いられることを特徴とする。
【００１８】
また、上記課題を解決するために、本発明は、前記パターンは、複製防止に係る付加情報をさらに有し、同一の情報を有する前記付加情報を複数有することを特徴とする。
【００１９】
また、上記課題を解決するために、本発明は、一辺の長さがＷである辺Ａを有する矩形の紙あるいは前記紙への印刷可能な文書データに、一辺の長さがｗである辺Ｂを有する矩形のパターンを、辺Ａに辺Ｂを平行に重畳するパターン重畳方法であって、印刷される前記紙の端部から［（Ｗ／２）／ｗ］回前記パターンを重畳する第１重畳段階と、前記第１重畳段階を終えた地点から、長さ（Ｗ／２  ｍｏｄ  ｗ）×２の前記パターンを重畳する第２重畳段階と、前記第２重畳段階を終えた地点から、［（Ｗ／２）／ｗ］回前記パターンを重畳する第３重畳段階とを有する。
【００２０】
また、上記課題を解決するために、本発明は、前記辺Ｂを有する矩形の他の辺Ｄの長さはｈであり、前記第３重畳段階の後に、前記辺Ａの垂直方向にｈずらした端部から、再び前記第１、第２、第３重畳段階を実行可能かどうかを判断する重畳終了判断段階を有することを特徴とする。
【００２１】
また、上記課題を解決するために、本発明は、前記辺Ａを有する矩形の他の辺Ｃの長さはＨであり、前記第３重畳段階の後に、次の第１、第２、第３重畳段階が前記辺Ｃと平行な方向に［Ｈ／２／ｈ］＋１回目の重畳の場合、次の第１、第２、第３重畳段階で重畳するパターンの辺Ｄの長さを２×（Ｈ／２  ｍｏｄ  ｈ）とすることを特徴とする。
【００２２】
また、上記課題を解決するために、本発明は、一部に付加情報を示す付加情報部を有し、所定の形状であるパターンを、紙あるいは紙への印刷可能な文書データに重畳するパターン重畳方法であって、印刷される前記紙の端部に前記付加情報部を欠くことなく重畳する重畳段階を有することを特徴とする。
【００２３】
また、上記課題を解決するために、本発明は、前記パターンは、該パターンを重畳した紙の複製防止に用いられることを特徴とする。
【００２４】
また、上記課題を解決するために、本発明は、前記パターンは、同一の情報を有する前記付加情報部を複数有することを特徴とする。
【００２５】
また、上記課題を解決するために、本発明は、一辺の長さがＷである辺Ａを有する矩形の紙あるいは前記紙への印刷可能な文書データに、一辺の長さがｗである辺Ｂを有する矩形のパターンを、辺Ａに辺Ｂを平行に重畳するパターン重畳方法であって、印刷される前記紙の端部から［（Ｗ／２）／ｗ］回前記パターンを重畳する第１重畳段階と、前記第１重畳段階を終えた地点から、長さ（Ｗ／２  ｍｏｄ  ｗ）の前記パターンを重畳する第２重畳段階と、前記第２重畳段階を終えた地点から、長さ（Ｗ／２−ｒ  ｍｏｄ  ｗ）（ｒ：定数）の前記パターンを重畳する第３重畳段階と前記第３重畳段階を終えた地点から、［（（Ｗ／２）−ｒ）／ｗ］回前記パターンを重畳する第４重畳段階と前記第４重畳段階を終えた地点から、ｒの長さの前記パターンを重畳する第５重畳段階とを有することを特徴とする。
【００２６】
また、上記課題を解決するために、本発明は、前記辺Ｂを有する矩形の他の辺Ｄの長さはｈであり、前記第５重畳段階の後に、前記辺Ａの垂直方向にｈずらした端部から、再び前記第１、第２、第３、第４、第５重畳段階を実行可能かどうかを判断する重畳終了判断段階を有することを特徴とする。
【００２７】
また、上記課題を解決するために、本発明は、前記辺Ａを有する矩形の他の辺Ｃの長さはＨであり、前記第５重畳段階の後に、次の第１、第２、第３、第４、第５重畳段階が前記辺Ｃと平行な方向に［Ｈ／２／ｈ］＋１回目の重畳の場合、次の第１、第２、第３、第４、第５重畳段階で重畳するパターンの辺Ｄの長さを２×（Ｈ／２  ｍｏｄ  ｈ）とすることを特徴とする。
【００２８】
また、上記課題を解決するために、本発明は、請求項１から１２のいずれか１項に記載のパターン重畳方法をコンピュータで実行させるためのパターン重畳プログラム。
【００２９】
また、上記課題を解決するために、本発明は、請求項１３に記載のパターン重畳プログラムを記録したコンピュータ読取可能な記録媒体。
【００３０】
また、上記課題を解決するために、本発明は、所定の形状を有するパターンを、紙あるいは紙への印刷可能な文書データに重畳するパターン重畳装置であって、印刷される前記紙の端部に前記パターンの形状を欠くことなく重畳する重畳手段を有することを特徴とする。
【００３１】
また、上記課題を解決するために、本発明は、前記パターンは、該パターンを重畳した紙の複製防止に用いられることを特徴とする。
【００３２】
また、上記課題を解決するために、本発明は、前記パターンは、複製防止に係る付加情報をさらに有し、前記パターンは、同一の情報を有する前記付加情報を複数有することを特徴とする。
【００３３】
また、上記課題を解決するために、本発明は、一辺の長さがＷである辺Ａを有する矩形の紙あるいは前記紙への印刷可能な文書データに、一辺の長さがｗである辺Ｂを有する矩形のパターンを、辺Ａに辺Ｂを平行に重畳するパターン重畳装置であって、印刷される前記紙の端部から［（Ｗ／２）／ｗ］回前記パターンを重畳する第１重畳手段と、前記第１重畳手段が重畳を終えた地点から、長さ２×（Ｗ／２  ｍｏｄ  ｗ）の前記パターンを重畳する第２重畳手段と、前記第２重畳手段が重畳を終えた地点から、［（Ｗ／２）／ｗ］回前記パターンを重畳する第３重畳手段とを有することを特徴とする。
【００３４】
また、上記課題を解決するために、本発明は、前記辺Ｂを有する矩形の他の辺Ｄの長さはｈであり、前記第３重畳手段が重畳した後に、前記辺Ａの垂直方向にｈずらした端部から、再び前記第１、第２、第３重畳手段が重畳を実行可能かどうかを判断する重畳終了判断手段を有することを特徴とする。
【００３５】
また、上記課題を解決するために、本発明は、前記辺Ａを有する矩形の他の辺Ｃの長さはＨであり、前記第３重畳手段が重畳した後に、次の第１、第２、第３重畳手段が前記辺Ｃと平行な方向に［Ｈ／２／ｈ］＋１回目の重畳の場合、次の第１、第２、第３重畳手段で重畳するパターンの辺Ｄの長さを２×（Ｈ／２  ｍｏｄ  ｈ）とすることを特徴とする。
【００３６】
また、上記課題を解決するために、本発明は、一部に付加情報を示す付加情報部を有し、所定の形状であるパターンを、紙あるいは紙への印刷可能な文書データに重畳するパターン重畳装置であって、印刷される前記紙の端部に前記付加情報部を欠くことなく重畳する重畳手段を有することを特徴とする。
【００３７】
また、上記課題を解決するために、本発明は、前記パターンは、該パターンを重畳した紙の複製防止に用いられることを特徴とする。
【００３８】
また、上記課題を解決するために、本発明は、前記パターンは、同一の情報を有する前記付加情報部を複数有することを特徴とする。
【００３９】
また、上記課題を解決するために、本発明は、一辺の長さがＷである辺Ａを有する矩形の紙あるいは前記紙への印刷可能な文書データに、一辺の長さがｗである辺Ｂを有する矩形のパターンを、辺Ａに辺Ｂを平行に重畳するパターン重畳装置であって、印刷される前記紙の端部から［（Ｗ／２）／ｗ］回前記パターンを重畳する第１重畳手段と、前記第１重畳手段が重畳を終えた地点から、長さ（Ｗ／２  ｍｏｄ  ｗ）の前記パターンを重畳する第２重畳手段と、前記第２重畳手段が重畳を終えた地点から、長さ（Ｗ／２−ｒ  ｍｏｄ  ｗ）（ｒ：定数）の前記パターンを重畳する第３重畳手段と前記第３重畳手段が重畳を終えた地点から、［（（Ｗ／２）−ｒ）／ｗ］回前記パターンを重畳する第４重畳手段と前記第４重畳手段が重畳を終えた地点から、ｒの長さの前記パターンを重畳する第５重畳手段とを有することを特徴とする。
【００４０】
また、上記課題を解決するために、本発明は、前記辺Ｂを有する矩形の他の辺Ｄの長さはｈであり、前記第５重畳手段が重畳した後に、前記辺Ａの垂直方向にｈずらした端部から、再び前記第１、第２、第３、第４、第５重畳手段が重畳を実行可能かどうかを判断する重畳終了判断手段を有することを特徴とする。
【００４１】
また、上記課題を解決するために、本発明は、前記辺Ａを有する矩形の他の辺Ｃの長さはＨであり、前記第５重畳段階が重畳した後に、次の第１、第２、第３、第４、第５重畳手段が前記辺Ｃと平行な方向に［Ｈ／２／ｈ］＋１回目の重畳の場合、次の第１、第２、第３、第４、第５重畳手段が重畳するパターンの辺Ｄの長さを２×（Ｈ／２  ｍｏｄ  ｈ）とすることを特徴とする。
【発明の効果】
【００４２】
本発明によれば、紙、あるいはその紙を印刷可能な文書データに、検知遅れがないようにパターンを重畳するパターン重畳装置、パターン重畳方法、パターン重畳プログラム、パターン重畳プログラムを記録した記録媒体を提供できる。
【発明を実施するための最良の形態】
【００４３】
図３は、本実施の形態に係る構成図である。この構成図には、ＭＦＰ１０と、ＷＳ２１と、ＰＣ２２と、それらを接続するネットワーク２０とが示されている。また、ＭＦＰ２０には、さらにＣＰＵ１１と、メモリ１２と、ＨＤＤ１３と、オペパネ（オペレーションパネル）１４と、スキャナ１５と、プリンタ１６と、制御情報ユニット１７と、パターン検知ユニット１８とが示されている。
【００４４】
ＣＰＵ１１は、ＭＦＰ１０の全体を制御する。メモリ１２は、プログラムやデータを保持する。ＨＤＤ１３は、画像を蓄積する。オペパネ１４は、ユーザＩ/Ｆである。スキャナ１５は、画像入力を行う。プリンタ１６は、画像出力を行う。制御情報ユニット１７は、読み取った画像を出力したり蓄積するのに必要な画像処理を行う。パターン検知ユニット１８は、複写原稿に特定のパターンが存在するか否かを検知するもので、特定パターンが存在した場合、制御情報ユニット１７は複写動作を中止する等の制御が可能になる。
【００４５】
以上説明した制御情報ユニット１７は、第１重畳手段、第２重畳手段、第３重畳手段、第４重畳手段、第５重畳手段、重畳手段、重量終了判断手段に対応する。
【００４６】
上記構成において、パターンの重畳は、ＭＦＰ１０が画像を紙に出力する際にＭＦＰ１０自身が行う場合と、ＰＣ２２あるいはＷＳ２１が有するＭＦＰ１０のドライバが、ＭＦＰ１０が出力する紙へ印刷可能な文書データに行う場合がある。
【００４７】
また、パターンは、小さいドットの並びで構成されるものであり、そのパターンを重畳した紙の複製防止に用いられる。具体的に、このパターンを検知したＭＦＰは、例えば出力する紙を全面黒で出力することにより、複製を防止する。このようにしてパターンは用いられるが、本実施の形態で説明されるパターンの利用方法は複製防止に限るものではない。
【００４８】
次に、パターン重畳方法について説明する。図４は、本実施の形態に係るパターン重畳方法によりパターンが印刷された紙を示す。図４には、紙３０の上に破線でパターンが示されている。この破線により囲まれている各矩形のうち、矩形４０に示されるような、縦ｈ、横ｗの矩形が、パターンの形状を欠くことなく印刷されたパターンである。
【００４９】
それに対し、矩形４１、４２はパターンの形状を欠いて印刷されたパターンである。このようなパターンの形状を欠いて印刷されたパターンを、以下の説明では欠陥パターンと表現することがある。また、欠陥パターンではないパターンを正規パターンと表現することがある。なお、以下で説明されるパターンは空欄となっているものがあるが、実際はドットが配置されている。
【００５０】
図４に示されるように、紙３０の端部には、正規パターンが重畳されている。また、紙３０を四つ折りにしたときの折れ線上に欠陥パターンが重畳されている。コピーする際に、紙はその端部から読み込まれるので、図４に示されるように紙の端部に正規パターンが存在すると、検知遅れをなくすることができる。
【００５１】
次に、紙３０にパターンを重畳する処理を、図５のフローチャートを用いて説明する。このフローチャートは、図４において、紙の上端の向かって左端から横方向にパターンを重畳し、その後縦方向に重畳位置をｈだけ下にずらし、再び横方向の重畳を行う、という処理を繰り返す処理である。
【００５２】
ステップＳ１０１で、紙のサイズが取得される。この紙のサイズとは、例えば図４の紙であれば縦Ｈ、横Ｗのような具体的な数値でもよいし、Ａ４など既知の用紙サイズであってもよい。
【００５３】
次のステップＳ１０２で、端部から［（Ｗ/２）/ｗ］回パターンが重畳される。ここで記号［］はガウス記号である。次のステップＳ１０３で、ステップＳ１０２での重畳を終えた地点から、（Ｗ/２  ｍｏｄ  ｗ）×２の長さだけパターンが重畳される。このステップは、図４において、欠陥パターン４１が重畳されるステップである。ここで、（Ａ  ｍｏｄ  Ｂ）は、ＡをＢで割った余りを示す。なお、本実施の形態で、（Ａ  ｍｏｄ  Ｂ）は、（Ａ  ｍｏｄ  Ｂ）となる数のうちの正の数で、最小の数である。
【００５４】
次のステップＳ１０４で、ステップＳ１０３での重畳を終えた地点から、［（Ｗ/２）/ｗ］回パターンが重畳される。
【００５５】
以上のステップＳ１０２からステップＳ１０４でパターン一行分（横方向）の印刷が終了する。次の一行分の重畳が縦方向に［（Ｈ/２）/ｈ］＋１回目かどうか、ステップＳ１０５で判断される。これは、図４において、欠陥パターン４２を重畳する位置かどうかの判断である。
【００５６】
次の一行分の重畳が縦方向に［（Ｈ/２）/ｈ］＋１回目の場合、ステップＳ１０６で、次の一行で重畳されるパターンの縦の長さが（Ｈ/２  ｍｏｄ  ｈ）×２とされ、再びステップＳ１０２の処理が行われる。
【００５７】
ステップＳ１０５でＮｏの場合、ステップＳ１０７で、重畳が紙のサイズ分終了したかどうか、すなわち紙全体に重畳されたかどうかの判断が行われる。ステップＳ１０７でＮｏの場合、再びステップＳ１０２の処理が行われ、Ｙｅｓの場合、処理は終了する。
【００５８】
以上説明したステップにおいて、ステップＳ１０２、１０３、１０４は、それぞれ請求項４に記載の第１重畳段階、第２重畳段階、第３重畳段階に対応し、またそれらステップは、請求項１に記載の重畳段階に対応する。また、ステップＳ１０７は、請求項５に記載の重量終了判断段階に対応する。
【００５９】
次に、付加情報を有するパターンについて説明する。この付加情報とは、ＭＦＰが出力する紙を全面黒ではなく他の色にするための情報など、複製防止の種類を示す情報である。複製防止の種類の他の例として、ＩＤカードを用いて認証を行うようなＭＦＰで、ＩＤカードにより、コピーする人が役員の場合、複製を許可するというものも挙げられる。
【００６０】
図６は、付加情報を有するパターンの例を示す図である。図６に示されるパターン５０は、基本部５１と、付加情報部５２、５３とを有する。付加情報部５２、５３は、同一の情報を有するものである。このように、１つのパターンは、同一の情報を有する付加情報を複数有する。
【００６１】
複数の付加情報を有することにより、このパターン５０は、矢印５５、５６に示される２方向から読み込まれても付加情報を読み込むことが可能である。このように他方向からの読み込みを可能とするパターンについて、図７を用いて説明する。図７は、パターンの基本部と付加情報部の位置づけの例を示す図である。他方向から読み込まれることを可能とするために、向かい合う辺の中点同士を結ぶ線Ａ、線Ｂでパターンを区切り、区切られた領域のうち、線Ａ、Ｂと平行な方向から読み込み可能な領域に付加情報を設けると、少なくとも２方向から読み込み可能なパターンとなる。
【００６２】
図６の例では、線Ａと矢印５５の方向は平行であり、線Ｂと矢印５６の方向も平行である。また、このようなパターンの場合、付加情報部が分割されないように図７のように線Ａまたは線Ｂで切ることも可能である。このようにパターンの部品が少なくとも1つ以上分割されないようにパターンを区切ることで、所望の付加情報部から検知開始されるようにパターンを重畳することができる。
【００６３】
付加情報のいくつかの例を、図８を用いて説明する。図８には、４つのパターン６０、６１、６２、６３が示されている。いずれのパターンも４つの矩形に区切られ、そのうちの３つの矩形が付加情報部となっている。パターン６０では、矩形７０が付加情報部である。パターン６１では、矩形７１が付加情報部である。パターン６２では、矩形７２が付加情報部である。パターン６３では、矩形７３が付加情報部である。
【００６４】
これらのパターン６０、６１、６２、６３が検知された際に、ドットが３点ある部分とドットが２つある部分の組み合わせによって、２つのドットの並び方により異なる動作をするという制御をするものとする。
【００６５】
例えば、パターン６０の場合、ＭＦＰはベルを鳴らす(不正にコピーが行われたことを周囲に知らしめる)。パターン６１の場合、ＭＦＰは管理者へメールを送る(不正にコピーが行われた記録を残す)。パターン６２の場合、ＭＦＰは、ランプを光らせる(不正にコピーが行われたことを周囲に知らしめる)。パターン６３の場合、ログをとる(不正にコピーが行われた記録を残す)。パターンの利用方法には以上のようなものがある。
【００６６】
このような付加情報部を有するパターンの重畳方法について説明する。図９は、本実施の形態に係るパターン重畳方法によりパターンが印刷された紙を示す。図９には、紙８０の上に実線でパターンが示されている。この実線により囲まれている各矩形のうち、矩形８２に示されるような、縦ｈ、横ｗの矩形が、パターンの形状を欠くことなく印刷されたパターンである。
【００６７】
それに対し、矩形８１、８３は欠陥パターンである。これらの欠陥パターンは、破線８５付近に重畳されている。この場合も、コピーする際に、紙はその端部から読み込まれることから、図９に示されるように紙の端部に正規パターンが存在すると、検知遅れをなくすることができる。
【００６８】
また、矩形８４のような３つのドットを含む矩形と、２つのドットを含む矩形とからなる矩形が付加情報部となっており、その矩形は、縦ｈ、横ｒとなっている。
【００６９】
次に、紙８０にパターンを重畳する処理を、図１０のフローチャートを用いて説明する。このフローチャートは、図９において、紙の上端の向かって左端から横方向にパターンを重畳し、その後縦方向に重畳位置をｈだけ下にずらし、再び横方向の重畳を行う、という処理を繰り返す処理である。図５の処理と異なる部分は、紙８０の左右両端に付加情報部が重畳されるという点である。これにより、左右両端から読み込まれた際に、付加情報部の検知遅れをなくすることができる。
【００７０】
ステップＳ２０１で、紙のサイズが取得される。次のステップＳ２０２で、端部から［（Ｗ/２）/ｗ］回パターンが重畳される。次のステップＳ２０３で、ステップＳ２０２での重畳を終えた地点から、（Ｗ/２  ｍｏｄ  ｗ）の長さだけパターンが重畳される。このステップは、図９において、欠陥パターンである矩形８１が重畳されるステップである。
【００７１】
次のステップＳ２０４で、ステップＳ２０３での重畳を終えた地点から、（（Ｗ/２）−ｒ  ｍｏｄ  ｗ）の長さだけパターンが重畳される。このステップは、図９において、欠陥パターン８３が重畳されるステップである。次のステップＳ２０５で、ステップＳ２０４での重畳を終えた地点から、［（（Ｗ/２）−ｒ）/ｗ］回パターンが重畳される。このステップは、図９において、正規パターン８２が重畳されるステップである。次のステップＳ２０６で、ステップＳ２０５での重畳を終えた地点から、ｒの長さだけパターンが重畳される。このステップは、図９において、付加情報部である矩形８４が重畳されるステップである。
【００７２】
以上のステップＳ２０２からステップＳ２０６でパターン一行分（横方向）の印刷が終了する。次の一行分の重畳が縦方向に［（Ｈ/２）/ｈ］＋１回目かどうか、ステップＳ２０７で判断される。
【００７３】
次の一行分の重畳が縦方向に［（Ｈ/２）/ｈ］＋１回目の場合、ステップＳ２０８で、次の一行で重畳されるパターンの縦の長さが（Ｈ/２  ｍｏｄ  ｈ）×２とされ、再びステップＳ２０２の処理が行われる。
【００７４】
ステップＳ２０７でＮｏの場合、ステップＳ２０８で、重畳が紙のサイズ分終了したかどうか、すなわち紙全体に重畳されたかどうかの判断が行われる。ステップＳ２０８でＮｏの場合、再びステップＳ２０２の処理が行われ、Ｙｅｓの場合、処理は終了する。
【００７５】
以上説明したステップにおいて、ステップＳ２０２、２０３、２０４、２０５、２０６は、それぞれ請求項１０に記載の第１重畳段階、第２重畳段階、第３重畳段階、第４重畳段階、第５重畳段階に対応し、またそれらステップは、請求項７に記載の重畳段階に対応する。また、ステップＳ２０９は、請求項１１に記載の重量終了判断段階に対応する。
【００７６】
以上説明したフローチャートでは、左右両端が付加情報部となる処理であったが、横方向の処理を縦方向にも適用すると、図１１に示されるように上端と下端を含む端部に、形状を欠くことがない付加情報部を配置することが可能である。なお、図１１の付加情報部は、グレースケール部分である。
【００７７】
以上説明した実施の形態においては、検知遅れがないように、端部に欠陥パターンを重畳しないようにしたり、付加情報部を端部に重畳したりしている。そのため、図４の矩形４１、４２や、図９の矩形８１、８３のように、主に端部から離れている紙の中心部分の位置に欠陥パターンを配置することで調整するようにしている。
【００７８】
しかし、調整を行う位置は中心部分でなくてもよく、また、いろいろな位置で調整するようにしてもよい。パターンによっては例えば一ヶ所で調整すると、重畳に不自然なむらができてしまったり、ドットが偏ったりして見にくくなる可能性があるが、いろいろな位置で調整を行うことにより、むらを抑えることも可能である。
【００７９】
また、図５、１０で説明したフローチャートを実行するプログラムは、ＭＦＰあるいはＰＣのドライバとして提供される。ＭＦＰの場合、コピーあるいはＰＣからの印刷要求に対しパターンを重畳して紙を出力する。ＰＣのドライバの場合、指定された文書データに対しパターンを重畳する。このようにすることで、本実施の形態で説明したパターン重畳方法を実行することができ、パターン重畳装置に対応するものは、パターン重畳プログラムを例えばＨＤＤやＲＯＭなどの記録媒体に搭載したＭＦＰと、パターン重畳プログラムを含むドライバをＨＤＤなどの記録媒体に搭載したＰＣあるいはＷＳとなる。
【図面の簡単な説明】
【００８０】
【図１】紙にパターンが中途半端に重畳された例を示す図である。
【図２】付加情報を有するパターンを示す図である。
【図３】本実施の形態に係る構成を示す図である。
【図４】パターンが重畳された紙を示す図である。
【図５】パターン重畳方法を示すフローチャートである（その１）。
【図６】付加情報を有するパターンを示す図である。
【図７】パターンの基本部と付加情報部の位置づけの例を示す図である。
【図８】付加情報の例を示す図である。
【図９】付加情報部を有するパターンが重畳された紙を示す図である。
【図１０】パターン重畳方法を示すフローチャートである（その２）。
【図１１】端部に付加情報部を有する紙を示す図である。
【符号の説明】
【００８１】
１０  ＭＦＰ
１１  ＣＰＵ
１２  メモリ
１３  ＨＤＤ
１４  オペパネ
１５  スキャナ
１６  プリンタ
１７  制御情報ユニット
１８  パターン検知ユニット
２０  ネットワーク
２１  ＷＳ（Work Station）
２２  ＰＣ（Personal Computer）
３０、８０  紙
４０、４１、４２  矩形
５１  基本部
５２、５３  付加情報部
５５、５６  矢印
６０、６１、６２、６３  パターン
７０、７１、７２、７３、８１、８２、８３  矩形
８５  破線
【図１】
2006345394.tif 000003
【図２】
2006345394.tif 000004
【図３】
2006345394.tif 000005
【図４】
2006345394.tif 000006
【図５】
2006345394.tif 000007
【図６】
2006345394.tif 000008
【図７】
2006345394.tif 000009
【図８】
2006345394.tif 000010
【図９】
2006345394.tif 000011
【図１０】
2006345394.tif 000012
【図１１】
2006345394.tif 000013